(57)【要約】【課題】ポンプが壊れることを抑制できる石鹸液供給装置を提供することを目的とする。【解決手段】カウンタを貫く取付管と、カウンタの下方に設けられ、取付管と接続された石鹸液タンクであって、石鹸液がカウンタの上方から取付管を介して補充される石鹸液タンクと、少なくとも一部がカウンタの上方に設けられ、取付管と着脱可能に接続された本体部と、を備え、本体部は、樹脂で構成されたシリンダ及び樹脂で構成されたピストンを有するポンプと、前記ポンプの少なくとも一部を内部に収納する外郭部材と、押し込まれることでポンプを駆動するハンドル部と、を有し、シリンダ及びピストンは、石鹸液タンク内の石鹸液を送る液ポンプと、空気を送るエアポンプと、を形成し、ハンドル部がもっとも押し込まれたときに、ピストンは、ハンドル部が押し込まれる方向においてシリンダに当接しないことを特徴とする石鹸液供給装置が提供される。【選択図】図１
2018051029.tif 000002
【特許請求の範囲】
【請求項１】
カウンタを貫く取付管と、
前記カウンタの下方に設けられ、前記取付管と接続された石鹸液タンクであって、石鹸液が前記カウンタの上方から前記取付管を介して補充される石鹸液タンクと、
少なくとも一部が前記カウンタの上方に設けられ、前記取付管と着脱可能に接続された本体部と、
を備え、
前記本体部は、
樹脂で構成されたシリンダ及び樹脂で構成されたピストンを有するポンプと、
前記ポンプの少なくとも一部を内部に収納する外郭部材と、
押し込まれることで前記ポンプを駆動するハンドル部と、
を有し、
前記シリンダ及び前記ピストンは、前記石鹸液タンク内の石鹸液を送る液ポンプと、空気を送るエアポンプと、を形成し、
前記ハンドル部がもっとも押し込まれたときに、前記ピストンは、前記ハンドル部が押し込まれる方向において前記シリンダに当接しないことを特徴とする石鹸液供給装置。
【請求項２】
前記外郭部材は、前記ハンドル部がもっとも押し込まれたときに、前記ハンドル部を押し込む力を受ける受力部を有することを特徴とする請求項１記載の石鹸液供給装置。
【請求項３】
前記外郭部材及び前記ハンドル部のそれぞれは、金属で構成されることを特徴とする請求項２記載の石鹸液供給装置。
【請求項４】
前記外郭部材と前記ハンドル部との間に設けられた緩衝部材をさらに備えたことを特徴とする請求項３記載の石鹸液供給装置。
【請求項５】
前記緩衝部材は、前記ハンドル部の前記外郭部材に対する摺動をガイドするガイド部を有することを特徴とする請求項４記載の石鹸液供給装置。
【請求項６】
前記受力部は、前記外郭部材及び／又は前記ハンドル部の内部に設けられることを特徴とする請求項２〜５のいずれか１つに記載の石鹸液供給装置。
【請求項７】
前記ハンドル部は、前記ハンドル部の上部から延びるノズルを有し、
前記ハンドル部がもっとも押し込まれたときに、前記受力部と前記ノズルの下端部が当接することを特徴とする請求項６記載の石鹸液供給装置。
【発明の詳細な説明】
【技術分野】
【０００１】
本発明の態様は、一般的に、石鹸液供給装置に関する。
【背景技術】
【０００２】
石鹸液と空気とを混合して、石鹸液を泡状にして吐出する石鹸液供給装置が、従来から用いられている。例えば、特許文献１には、液シリンダ、液ピストン、エアシリンダ及びエアピストンによって、水石けん液とエアを混合し、水石けん液をムース状となして吐出するソープディスペンサーが開示されている。
【先行技術文献】
【特許文献】
【０００３】
【特許文献１】特許第４９７９６０２号公報
【発明の概要】
【発明が解決しようとする課題】
【０００４】
駅や商業施設などの所謂パブリック空間で利用される石鹸液供給装置は、家庭での使用に比べて使用回数が多いこと、乱雑に扱われる可能性が高いこと等から、故障が発生する可能性が高く、求められる耐久性のハードルが高い。このような環境での使用にあたって、従来は特許文献１などに示されているように、ソープディスペンサーを、金属を中心とした材料で構成することが一般的であった。  
一方で、ピストン及びシリンダを有し、石鹸液と空気とを混合するポンプユニットの材料には、例えば、樹脂を用いることで、複雑な構成でも安価で簡単に製造ができるようになる。しかし、ポンプユニットの材料に樹脂を用いた場合は、金属を用いた場合に比べて、ポンプユニットの耐久性が低くなる傾向にある。また、パブリック空間で利用される石鹸液供給装置はカウンタに固定されているため、強い力が作用した場合に、カウンタの上に単純におかれるボトルタイプの石鹸液のように転倒して力を逃がすことができない。このため、強い力で操作された場合に、ポンプが破壊されてしまう恐れがある。
【０００５】
本発明は、かかる課題の認識に基づいてなされたものであり、ポンプが壊れることを抑制できる石鹸液供給装置を提供することを目的とする。
【課題を解決するための手段】
【０００６】
第１の発明は、カウンタを貫く取付管と、前記カウンタの下方に設けられ、前記取付管と接続された石鹸液タンクであって、石鹸液が前記カウンタの上方から前記取付管を介して補充される石鹸液タンクと、少なくとも一部が前記カウンタの上方に設けられ、前記取付管と着脱可能に接続された本体部と、を備え、前記本体部は、樹脂で構成されたシリンダ及び樹脂で構成されたピストンを有するポンプと、前記ポンプの少なくとも一部を内部に収納する外郭部材と、押し込まれることで前記ポンプを駆動するハンドル部と、を有し、前記シリンダ及びピストンは、前記石鹸液タンク内の石鹸液を送る液ポンプと、空気を送るエアポンプと、を形成し、前記ハンドル部がもっとも押し込まれたときに、前記ピストンは、前記ハンドル部が押し込まれる方向において前記シリンダに当接しないことを特徴とする石鹸液供給装置である。
【０００７】
この石鹸液供給装置によれば、ハンドル部に操作力が加えられたときにピストンとシリンダとが当接してポンプに負荷がかかることを抑制し、ポンプが壊れることを抑制できる。
【０００８】
第２の発明は、第１の発明において、前記外郭部材は、前記ハンドル部がもっとも押し込まれたときに、前記ハンドル部を押し込む力を受ける受力部を有することを特徴とする石鹸液供給装置である。
【０００９】
この石鹸液供給装置によれば、ハンドル部に加えられた操作力を、径の大きい外郭部材で受けることができるため、本体部の耐久性を向上させることができる。
【００１０】
第３の発明は、第２の発明において、前記外郭部材及び前記ハンドル部のそれぞれは、金属で構成されることを特徴とする石鹸液供給装置である。
【００１１】
この石鹸液供給装置によれば、外郭部材及びハンドル部に金属を用いることで、耐久性を向上させることができる。
【００１２】
第４の発明は、第３の発明において、前記外郭部材と前記ハンドル部との間に設けられた緩衝部材をさらに備えたことを特徴とする石鹸液供給装置である。
【００１３】
この石鹸液供給装置によれば、ハンドル部が押し込まれたときに、外郭部材の金属とハンドル部の金属とが当接することを、緩衝部材により防げる。これにより、金属同士の接触音を低減できる。
【００１４】
第５の発明は、第４の発明において、前記緩衝部材は、前記ハンドル部の前記外郭部材に対する摺動をガイドするガイド部を有することを特徴とする石鹸液供給装置である。
【００１５】
この石鹸液供給装置によれば、ハンドル部が押し込まれたときに、外郭部材の金属とハンドル部の金属とが擦れ合うことを防げるため、摺動音を低減できる。
【００１６】
第６の発明は、第２〜第５のいずれか１つの発明において、前記受力部は、前記外郭部材及び／又は前記ハンドル部の内部に設けられることを特徴とする石鹸液供給装置である。
【００１７】
この石鹸液供給装置によれば、使用者がハンドル部を押し込んだときに、ハンドル部と外郭部材との間に指を挟んでしまうことを防げる。
【００１８】
第７の発明は、第６の発明において、前記ハンドル部は、前記ハンドル部の上部から延びるノズルを有し、前記ハンドル部がもっとも押し込まれたときに、前記受力部と前記ノズルの下端部とが当接することを特徴とする石鹸液供給装置である。
【００１９】
この石鹸液供給装置によれば、ハンドル部のストロークを大きく取りながら、本体部の全高を低く抑えることができる。
【発明の効果】
【００２０】
本発明の態様によれば、ポンプが壊れることを抑制できる石鹸液供給装置が提供される。
【図面の簡単な説明】
【００２１】
【図１】図１（ａ）及び図１（ｂ）は、実施形態に係る石鹸液供給装置を例示する斜視図である。
【図２】図２（ａ）及び図２（ｂ）は、実施形態に係る石鹸液供給装置を例示する斜視図及び側面図である。
【図３】実施形態に係る石鹸液供給装置を例示する断面図である。
【図４】図４（ａ）及び図４（ｂ）は、実施形態に係る石鹸液供給装置を例示する分解図である。
【図５】実施形態に係る石鹸液供給装置を例示する断面図である。
【図６】実施形態に係る石鹸液供給装置を例示する断面図である。
【図７】実施形態に係る石鹸液供給装置を例示する断面図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１（ａ）及び図１（ｂ）は、実施形態に係る石鹸液供給装置を例示する斜視図である。  
図１（ａ）及び図１（ｂ）に示すように、実施形態に係る石鹸液供給装置１００は、カウンタ２００に取り付けられる。この例では、カウンタ２００は、ボウル２１０と一体に設けられている。カウンタ２００とボウル２１０とは別々に設けられてもよい。カウンタ２００の材料には、陶器、樹脂又は木材など任意の材料を用いることができる。
【００２３】
石鹸液供給装置１００は、石鹸液を泡状に変換し、ボウル２１０へ向けて吐出する。石鹸液供給装置１００は、例えば、駅や街の公共設備に設置されるパブリック用の装置である。
【００２４】
図１（ａ）及び図１（ｂ）に示すように、カウンタ２００には、水栓装置２２０が設けられていてもよい。水栓装置２２０は、ボウル２１０へ向けて水を吐出する。
【００２５】
図２（ａ）は、実施形態に係る石鹸液供給装置を例示する斜視図である。  
図２（ｂ）は、実施形態に係る石鹸液供給装置を例示する側面図である。  
図３は、実施形態に係る石鹸液供給装置を例示する断面図である。  
石鹸液供給装置１００は、取付管１２と、石鹸液タンク１４と、本体部１５と、を有する。
【００２６】
図３に示すように、取付管１２は、カウンタ２００を貫く。取付管１２は、カウンタ２００の下方のナット２２によって、カウンタ２００に固定される。ナット２２とカウンタ２００との間には、ワッシャやパッキン２１が設けられる。
【００２７】
石鹸液タンク１４は、カウンタ２００の下方に設けられ、継手２３により、取付管１２に接続される。継手２３と取付管１２との間や、継手２３と石鹸液タンク１４との間には、適宜パッキン２３ａ、２３ｂなどが設けられる。石鹸液タンク１４の内部には石鹸液が収容される。
【００２８】
本体部１５の少なくとも一部は、カウンタ２００よりも上方に設けられる。本体部１５は、取付管１２に着脱可能に接続されている。
【００２９】
本体部１５の下端には、石鹸液タンク１４の内部まで延びるホース部２５が接続されている。ホース部２５は、ホース２５ｃと、ホース２５ｃの先端に継手２５ｂを介して接続されたフィルタ２５ａと、を有する。
【００３０】
図４（ａ）及び図４（ｂ）は、実施形態に係る石鹸液供給装置を例示する分解図である。  
図４（ａ）は、取付管１２及び本体部１５を分解した様子を示し、図４（ｂ）は、図４（ａ）の断面を示す。  
本体部１５は、ハンドル部４０と、樹脂部材４２と、製泡部材４４（フィルタ）と、外郭部材４６と、パッキン４８と、キャップ２６と、ポンプユニット３０と、カバー部材２８と、Ｃリング２９（抜け止め部材）と、を有する。
【００３１】
図４（ｂ）に示すように、ポンプ（ポンプユニット３０）は、液ポンプ３１と、エアポンプ３２と、を有する。液ポンプ３１は、石鹸液タンク１４内の石鹸液をホース部２５を介して下方から取り込み、取り込んだ石鹸液を上方へ送る。エアポンプ３２は、空気を取り込み、取り込んだ空気を上方へ送る。これにより、ポンプユニット３０は、石鹸液と空気との混合物（混合液）を、上方のハンドル部４０へ送る。液ポンプ３１及びエアポンプ３２（後述するピストンやシリンダ）は、それぞれ、樹脂で構成される。例えば、液ポンプ３１の材料及びエアポンプ３２の材料のそれぞれには、ポリプロピレン（polypropylene：ＰＰ）を用いることができる。なお、本明細書における「樹脂で構成されている」とはその大部分が樹脂によって構成されていればよく、内部などに金属製の部材、たとえば逆止弁などが設けられているものを含む。
【００３２】
カバー部材２８は、筒状であり、ポンプユニット３０の少なくとも一部を覆う。例えば、図４（ｂ）に示すように、カバー部材２８は、ポンプユニット３０の下部を覆うように取り付けられる。ポンプユニット３０の上部には、キャップ２６が取り付けられる。
【００３３】
カバー部材２８及びキャップ２６は、樹脂で構成される。例えば、カバー部材２８の材料には、ポリフェニレンスルファイド（polyphenylenesulfide：ＰＰＳ）を用いることができる。
【００３４】
外郭部材４６は、筒状であり、カバー部材２８及びポンプユニット３０の少なくとも一部を覆う（図３及び図４（ｂ）参照）。換言すれば、ポンプユニット３０の少なくとも一部は、外郭部材４６の内部に収納される。外郭部材４６の少なくとも表面は、金属で構成される。例えば、外郭部材４６は、金属製であるが、プラスチック等の非金属に金属メッキが施されたものであってもよい。外郭部材４６に用いられる金属は、例えば、銅を含む合金（銅系合金）である。
【００３５】
Ｃリング２９は、カバー部材２８の外周と、外郭部材４６の内周と、の間に取り付けられる（図３参照）。これにより、カバー部材２８に覆われたポンプユニット３０は、Ｃリング２９によって外郭部材４６から抜け止めされる。Ｃリング２９を取り外すことにより、外郭部材４６から、カバー部材２８に覆われたポンプユニット３０を抜き取ることができる。すなわち、ポンプユニット３０は、外郭部材４６に対して着脱可能である。
【００３６】
ハンドル部４０は、ポンプユニット３０に対して着脱可能に接続される。ハンドル部４０を回転させながら上方に引っ張ることで、ハンドル部４０を取り外すことができる。外郭部材４６と同様に、ハンドル部４０の少なくとも表面は、金属で構成される。
【００３７】
ハンドル部４０は、下方に押し込まれることで、外郭部材４６に対して摺動し、ポンプユニット３０を駆動する。これにより、ポンプユニット３０は、石鹸液と空気との混合物を上方へ送る。また、ハンドル部４０は、ハンドル部４０の上部から側方に延びるノズル４１を有する。
【００３８】
樹脂部材４２は、ハンドル部４０の下方から、ハンドル部４０の内側に嵌め込まれる。樹脂部材４２は、ハンドル部４０が押し込まれたときに、ハンドル部４０と外郭部材４６とが直接ぶつかることを防ぎ、摺動をスムーズにするガイド部材として機能する。
【００３９】
製泡部材４４は、ポンプユニット３０とハンドル部４０との接続部に設けられる。製泡部材４４は、複数の孔（例えば網）を有する。ポンプユニット３０から送られた石鹸液及び空気の混合物は、製泡部材４４を通ってハンドル部４０内に導かれる。混合物は、製泡部材４４を通ることにより、きめ細かい泡に変換される。その後、混合物（泡）は、ハンドル部４０及びノズル４１を通って、ノズル４１の吐出口４１ｅから吐出される。
【００４０】
本体部１５は、取付管１２と着脱可能に接続される。具体的には、図４（ａ）に示すように、ポンプユニット３０の下部には凹凸３０ｂ（例えばスナップフィット）が設けられており、図４（ｂ）に示すように、取付管１２の上部の内側に凹凸１２ｂが設けられている。凹凸３０ｂと凹凸１２ｂとが係合することで、本体部１５は、取付管１２に取り付けられる。本体部１５を上方へ引っ張ることで、本体部１５を取付管１２から取り外すことができる。
【００４１】
本体部１５を取り外した後、カウンタ２００の上方に位置する取付管１２の開口１２ａから、取付管１２を介して、石鹸液タンク１４に石鹸液が補充される。
【００４２】
図５は、実施形態に係る石鹸液供給装置を例示する断面図である。  
図５は、ポンプユニット３０近傍の一部の拡大図である。ポンプユニット３０は、ピストン３３及びシリンダ３４を有する。ピストン３３及びシリンダ３４により、前述の液ポンプ３１及びエアポンプ３２が形成される。
【００４３】
シリンダ３４は、カバー部材２８に支持されている。  
ピストン３３は、エアピストン３３ａとリキッドピストン３３ｂとを有する。エアピストン３３ａ及びリキッドピストン３３ｂは、それぞれ、シリンダ３４に対して上下に摺動可能である。リキッドピストン３３ｂとシリンダ３４とによって、石鹸液を内部に貯留する液室ＲＬが形成される。エアピストン３３ａとシリンダ３４とによって、内部に空気を溜める空気室ＲＡが形成される。また、液室ＲＬ及び空気室ＲＡの上方には、混合室ＲＭが形成されている。
【００４４】
液室ＲＬの下端には、ボール３９（逆止弁）が設けられる。液室ＲＬは、取付管１２を介して石鹸液タンク１４に接続されているが、石鹸液供給装置１００の待機時においては、液室ＲＬの下端はボール３９によって塞がれている。
【００４５】
液室ＲＬの内部には、インナーロッド３５、プラグ３７及びスプリング３８が設けられる。プラグ３７は、インナーロッド３５及びスプリング３８を保持する。スプリング３８は、その弾性力によって、ピストン３３を上方に付勢する。インナーロッド３５の上部は、混合室ＲＭまで延びており、混合室逆止弁３６ｃとなる。
【００４６】
使用者がハンドル部４０を下方へ押し込むと、ハンドル部４０を押し込む力（操作力）がピストン３３に伝達される。これにより、エアピストン３３ａ及びリキッドピストン３３ｂは下方へ移動する。すると、液室ＲＬの容積が減少するため、液室ＲＬ内の石鹸液は、混合室逆止弁３６ｃを通って混合室ＲＭに流入する。このとき、液室ＲＬの下端は、ボール３９によって閉じられた状態である。またスプリング３８は縮まっている。
【００４７】
同時に、空気室ＲＡの容積が減少するため、空気室ＲＡ内の空気は、エアピストン３３ａに設けられた逆止弁３６ａおよび混合室逆止弁３６ｃを通って、混合室ＲＭに流入する。このとき、エアピストン３３ａに設けられた逆止弁３６ｂは、閉じている。
【００４８】
混合室ＲＭ内では、空気及び石鹸液が混合される。そして、混合物は、混合室ＲＭの上部に設けられた小孔Ｐから、製泡部材４４及びハンドル部４０へ吐出される。以上により、ノズル４１から石鹸の泡が吐出される。
【００４９】
その後、使用者がハンドル部４０から手を放すと、縮んでいたスプリング３８の弾性力によって、エアピストン３３ａ及びリキッドピストン３３ｂは、上方へ移動する。すると、液室ＲＬの容積が増大し、液室ＲＬ内に負圧が生じる。このとき、混合室逆止弁３６ｃは閉まり、ボール３９が上昇する。これにより、下方の石鹸液タンク１４から液室ＲＬ内に石鹸液が供給され、液室ＲＬ内は石鹸液で満たされる。
【００５０】
同時に、空気室ＲＡの容積が増大し、空気室ＲＡ内に負圧が生じる。このとき、逆止弁３６ａは閉まり、逆止弁３６ｂが開く。これにより、空気室ＲＡには、外部から空気が供給される。以上により、石鹸液供給装置１００は、待機状態に戻る。
【００５１】
図６及び図７は、実施形態に係る石鹸液供給装置を例示する断面図である。  
図６は、待機時、すなわち、押し込む力（操作力）がハンドル部４０に加えられていないときの本体部１５を示す。図７は、ハンドル部４０に操作力が加えられて、ハンドル部４０が最も下方に押し込まれたときの本体部を示す。
【００５２】
図６に示すように、ハンドル部４０は、下端部４０ｂを有する。下端部４０ｂは、ハンドル部４０の上部に設けられたノズル４１の下端（直下）に位置する。待機時においては、ハンドル部４０の下端部４０ｂと、外郭部材４６の上端部４６ａ（受力部）と、の間に隙間Ｇ１が設けられている。
【００５３】
樹脂部材４２（緩衝部材）は、緩衝部４２ａを有する。緩衝部４２ａは、上下方向において、ハンドル部４０の下端部４０ｂと、外郭部材４６の上端部４６ａと、の間に設けられる。
【００５４】
ピストン３３とシリンダ３４との間には、隙間Ｇ２が設けられる。隙間Ｇ２の幅は、ハンドル部４０が押し込まれてピストン３３が移動すると、ハンドル部４０が押し込まれる方向（上下方向）において狭くなる。
【００５５】
ハンドル部４０は、押し込まれると、外郭部材４６に対して摺動する。そして、図７に示したように、ハンドル部４０が最も押し込まれたときに、ハンドル部４０の下端部４０ｂは、緩衝部４２ａを介して、外郭部材４６の上端部４６ａに当接する。つまり、ハンドル部４０を押し込むことができる範囲は、外郭部材４６により制限されている。図６に示した隙間Ｇ１の幅は、ハンドル部４０が最も押し込まれたときに略ゼロとなり、下端部４０ｂと上端部４６ａとの間の距離は、緩衝部４２ａの厚さと実質的に等しい。外郭部材４６は、緩衝部４２ａを介してハンドル部４０に加えられた操作力を受ける。
【００５６】
一方、ハンドル部４０が最も押し込まれたときに、ピストン３３は、ハンドル部４０が押し込まれる方向においてシリンダ３４に当接しない。すなわち、図７に示したように、ピストン３３とシリンダ３４との間の隙間Ｇ２は、ハンドル部４０が最も押し込まれたときに、上下方向において幅Ｗ３を有する。
【００５７】
実施形態において、ハンドル部４０の可動範囲は、待機時における隙間Ｇ１の上下方向の幅Ｗ１（図６参照）によって定められる。待機時において、隙間Ｇ１の上下方向の幅Ｗ１は、隙間Ｇ２の上下方向の幅Ｗ２よりも狭い。ハンドル部４０が最も押し込まれたときに、ピストン３３には、シリンダ３４に対して幅Ｗ３だけ近接できる余裕が残されている。
【００５８】
なお、隙間Ｇ２の幅とは、隙間Ｇ２のうち、上下方向に沿った幅が最も狭い部分の幅をいう。同様に、隙間Ｇ１の幅とは、隙間Ｇ１のうち、上下方向に沿った幅が最も狭い部分の幅をいう。
【００５９】
ポンプユニット３０の材料に樹脂を用いることにより、例えば、製造コストを抑えることができる。一方、材料に樹脂を用いた場合は、材料に金属を用いた場合に比べて、ポンプユニットの耐久性が低くなりやすい。これに対して、実施形態においては、ハンドル部４０が最も押し込まれたときでも、ピストン３３とシリンダ３４との間には隙間がある。これにより、ハンドル部４０に操作力が加えられたときに、ピストン３３とシリンダ３４とが当接して、ポンプユニット３０に負荷が掛かることを抑制できる。したがって、ポンプユニットが壊れることを抑制できる。
【００６０】
また、ハンドル部４０がもっとも押し込まれたときには、径の大きい外郭部材４６が、ハンドル部４０を押し込む力を受けるため、本体部１５の耐久性を向上させることができる。
【００６１】
また、操作力を受けるハンドル部４０及び外郭部材４６の材料に、金属を用いることにより、耐久性をさらに向上させることができる。このとき、樹脂部材４２（緩衝部４２ａ）を設けることにより、ハンドル部４０が押し込まれたときに、外郭部材４６の金属とハンドル部４０との金属とが直接、当接することを防げる。これにより、金属同士の接触音を低減できる。
【００６２】
さらに、樹脂部材４２は、ガイド部４２ｂを有する。例えば、図７に示すように、ガイド部４２ｂは、水平方向（ハンドル部４０を押し込む方向に対して垂直な方向）において、外郭部材４６とハンドル部４０との間に位置する。ガイド部４２ｂは、ハンドル部４０の外郭部材４６に対する摺動をガイドする。すなわち、ガイド部４２ｂは、ハンドル部４０と外郭部材４６とが擦れ合うことを防ぐ。これにより、ハンドル部４０の外郭部材４６に対する摺動がスムーズになる。また、外郭部材４６の金属とハンドル部４０の金属とが擦れ合うことを防げるため、摺動音を低減できる。
【００６３】
また、樹脂部材４２は、下方からハンドル部４０の内側に嵌め込まれているため、外部から視認されない。これにより、本体部１５の外観をすっきりとさせることができる。
【００６４】
また、ハンドル部４０から操作力を受ける外郭部材４６の上端部４６ａは、外郭部材４６及び／又はハンドル部４０の内部に設けられる。上端部４６ａは、例えば、上方からハンドル部４０に覆われているため、外部に露出していない。このように、ハンドル部４０が、樹脂部材４２を介して外郭部材４６と当接する箇所が隠蔽されているため、ハンドル部４０と外郭部材４６との間に使用者が指を挟んでしまうことを防げる。
【００６５】
また、実施形態においては、ノズル４１をハンドル部４０の上部に配置することで、ハンドル部４０の下部に、ハンドル部４０が摺動するためのスペース（隙間Ｇ１）を設けている。これにより、ハンドル部４０のストローク（可動範囲）を大きく取りながら、本体部１５の全高を低く抑えることができる。
【００６６】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、取付管、石鹸液タンク及び本体部などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６７】
１２ 取付管、  １２ａ 開口、  １２ｂ 凹凸、  １４ 石鹸液タンク、  １５ 本体部、  ２１ パッキン、  ２２ ナット、  ２３ 継手、  ２３ａ、２３ｂ 適宜パッキン、  ２５ ホース部、  ２５ａ フィルタ、  ２５ｂ 継手、  ２５ｃ ホース、  ２６ キャップ、  ２８ カバー部材、  ２９ Ｃリング、  ３０ ポンプユニット、  ３０ｂ 凹凸、  ３１ 液ポンプ、  ３２ エアポンプ、  ３３ ピストン、  ３３ａ エアピストン、  ３３ｂ リキッドピストン、  ３４ シリンダ、  ３５ インナーロッド、  ３６ａ 逆止弁、  ３６ｂ 逆止弁、  ３６ｃ 混合室逆止弁、  ３７ プラグ、  ３８ スプリング、  ３９ ボール、  ４０ ハンドル部、  ４０ｂ 下端部、  ４１ ノズル、  ４１ｅ 吐出口、  ４２ 樹脂部材（緩衝部材）、  ４２ａ 緩衝部、  ４２ｂ ガイド部、  ４４ 製泡部材、  ４６ 外郭部材、  ４６ａ 上端部（受力部）、  ４８ パッキン、  １００ 石鹸液供給装置、  ２００ カウンタ、  ２１０ ボウル、  ２２０ 水栓装置、  Ｇ１ 隙間、  Ｇ２ 隙間、  Ｐ 小孔、  ＲＡ 空気室、  ＲＬ 液室、  ＲＭ 混合室
【図１】
2018051029.tif 000003
【図２】
2018051029.tif 000004
【図３】
2018051029.tif 000005
【図４】
2018051029.tif 000006
【図５】
2018051029.tif 000007
【図６】
2018051029.tif 000008
【図７】
2018051029.tif 000009